(57)【要約】【課題】ネットワークの常時伝送負荷の抑制、親局の計測情報の受信による処理抑制、および計測値のきめ細やかな変化の把握ができる遠方監視制御装置を得る。【解決手段】親局にネットワークを通じて接続された遠方監視制御装置であって、予め設定された、伝送基準となる基準値６１、基準値以上の計測値の変化幅６４、及び基準値未満の計測値の変化幅６５を格納するメモリ６と、入力された計測値が前記基準値以上で変化幅６４以上変化した場合、あるいは前記入力された計測値が前記基準値未満で変化幅６５以上変化した場合に前記入力された計測値を前記親局に伝送するＣＰＵ１とを設けた。【選択図】図１
2006135538.tif 000002
【特許請求の範囲】
【請求項１】
親局にネットワークを通じて接続された遠方監視制御装置であって、
予め設定された伝送基準となる基準値、予め設定された前記基準値以上の計測値の第１の変化幅、及び予め設定された前記基準値未満の計測値の第２の変化幅を格納するメモリと、
入力された計測値が前記基準値以上で前記第１の変化幅以上変化した場合、あるいは前記入力された計測値が前記基準値未満で前記第２の変化幅以上変化した場合に前記入力された計測値を前記親局に伝送するＣＰＵと
を備えたことを特徴とする遠方監視制御装置。
【請求項２】
親局にネットワークを通じて接続された遠方監視制御装置であって、
予め設定された伝送基準となる基準値から所定範囲の安定範囲、予め設定された前記安定範囲内の計測値の第１の変化幅、及び予め設定された前記安定範囲外の計測値の第２の変化幅を格納するメモリと、
入力された計測値が前記安定範囲内で前記第１の変化幅以上変化した場合、あるいは前記入力された計測値が前記安定範囲外で前記第２の変化幅以上変化した場合に前記入力された計測値を前記親局に伝送するＣＰＵと
を備えたことを特徴とする遠方監視制御装置。
【請求項３】
親局にネットワークを通じて接続された遠方監視制御装置であって、
予め設定された選択計測時の計測値の第１の変化幅、及び予め設定された定周期計測時の計測値の第２の変化幅を格納するメモリと、
入力された計測値が選択計測中の場合で前記第１の変化幅以上変化した場合、あるいは前記入力された計測値が選択計測中でない場合で前記第２の変化幅以上変化した場合に前記入力された計測値を前記親局に伝送するＣＰＵと
を備えたことを特徴とする遠方監視制御装置。
【請求項４】
前記メモリは、予め設定された選択計測時の計測値の第３の変化幅をさらに格納し、
前記ＣＰＵは、入力された計測値が選択計測中でない場合かつ前記基準値以上で前記第１の変化幅以上変化した場合、前記入力された計測値が選択計測中でない場合かつ前記基準値未満で前記第２の変化幅以上変化した場合、あるいは前記入力された計測値が選択計測中の場合で前記第３の変化幅以上変化した場合に前記入力された計測値を前記親局に伝送する
ことを特徴とする請求項１記載の遠方監視制御装置。
【請求項５】
前記メモリは、予め設定された選択計測時の計測値の第３の変化幅をさらに格納し、
前記ＣＰＵは、入力された計測値が選択計測中でない場合かつ前記安定範囲内で前記第１の変化幅以上変化した場合、前記入力された計測値が選択計測中でない場合かつ前記安定範囲外で前記第２の変化幅以上変化した場合、あるいは前記入力された計測値が選択計測中の場合で前記第３の変化幅以上変化した場合に前記入力された計測値を前記親局に伝送するＣＰＵと
ことを特徴とする請求項２記載の遠方監視制御装置。
【発明の詳細な説明】
【技術分野】
【０００１】
この発明は、ネットワークの伝送負荷、および遠方監視制御装置（親局）の処理負荷を抑制するための計測情報の伝送方式を持つ遠方監視制御装置（子局）に関するものである。
【背景技術】
【０００２】
従来の遠方監視制御装置（子局）においては、計測値の範囲、および遠方監視制御装置（子局）の選択状態に関わらず、一定周期、または一定の変化幅を定義し変化幅を越えた場合、遠方監視制御装置（子局）から遠方監視制御装置（親局）に当該計測情報を伝送している（例えば、特許文献１参照）。
【０００３】
【特許文献１】特開平６−１０５３７６号公報（第１頁、図１）
【発明の開示】
【発明が解決しようとする課題】
【０００４】
従来の遠方監視制御装置（子局）で行っている計測情報の変化値伝送は、変化幅が一定であるため、変化幅を小さくすると計測値のきめ細やかな変化の把握は可能であるが、ネットワークの常時伝送負荷の抑制、および遠方監視制御装置（親局）の計測情報の受信による処理抑制の効果は小さくなる。
【０００５】
また、変化幅を大きくすると、ネットワークの常時伝送負荷の抑制、および遠方監視制御装置（親局）の計測情報の受信による処理抑制の効果は大きくなるが、計測値のきめ細やかな変化の把握は困難となる。
【０００６】
そのため、変化幅により効果を得ることができる反面、問題点が生じるという課題がある。
【０００７】
この発明は、上述のような課題を解決するためになされたもので、その目的は、ネットワークの常時伝送負荷の抑制、遠方監視制御装置（親局）の計測情報の受信による処理抑制、および計測値のきめ細やかな変化の把握ができる遠方監視制御装置を得るものである。
【課題を解決するための手段】
【０００８】
この発明に係る遠方監視制御装置は、親局にネットワークを通じて接続された遠方監視制御装置であって、予め設定された伝送基準となる基準値、予め設定された前記基準値以上の計測値の第１の変化幅、及び予め設定された前記基準値未満の計測値の第２の変化幅を格納するメモリと、入力された計測値が前記基準値以上で前記第１の変化幅以上変化した場合、あるいは前記入力された計測値が前記基準値未満で前記第２の変化幅以上変化した場合に前記入力された計測値を前記親局に伝送するＣＰＵとを設けたものである。
【発明の効果】
【０００９】
この発明に係る遠方監視制御装置は、ネットワークの常時伝送負荷の抑制、親局の計測情報の受信による処理抑制、および計測値のきめ細やかな変化の把握ができるという効果を奏する。
【発明を実施するための最良の形態】
【００１０】
実施の形態１．
この発明の実施の形態１に係る遠方監視制御装置について図１から図３までを参照しながら説明する。図１は、この発明の実施の形態１に係る遠方監視制御装置の構成を示す図である。なお、各図中、同一符号は同一又は相当部分を示す。
【００１１】
図１において、この実施の形態１に係る遠方監視制御装置は、処理を行うＣＰＵ１と、アナログ入力基板３と、複数の各種入出力基板４と、遠方監視制御装置（親局）にネットワークを通じてデータを送信するデータ送／受信基板５と、メモリ６とが設けられている。
【００１２】
内部バス２は、ＣＰＵ１と、各種基板３〜５と、メモリ６を接続する。また、メモリ６には、伝送基準となる基準値データ６１と、送信の計測値（送信バッファ）６２と、前回送信の計測値（前回送信バッファ）６３と、基準値以上の計測値の変化幅データ６４と、基準値未満の計測値の変化幅データ６５と、その他データが格納されている。
【００１３】
つぎに、この実施の形態１に係る遠方監視制御装置の動作について図面を参照しながら説明する。図２は、この発明の実施の形態１に係る遠方監視制御装置の動作を示すタイミングチャートである。また、図３は、この発明の実施の形態１に係る遠方監視制御装置の動作を示すフローチャートである。
【００１４】
図２において、縦軸は計測値、横軸は丸数字（明細書では、都合により括弧数字で表記する。）で送信タイミングをそれぞれ示す。また、「基準値」、「基準値以上の計測値の変化幅」、及び「基準値未満の計測値の変化幅」を示す。なお、「基準値以上の計測値の変化幅」よりも「基準値未満の計測値の変化幅」が大きい。
【００１５】
０の送信タイミングで当該計測値を送信した場合、送信タイミング（１）、（２）、（３）の計測値は、「前回送信の計測値」（０の送信タイミングの計測値）から「基準値未満の計測値の変化幅」より小さい変化のため当該計測値を送信しない。
【００１６】
送信タイミング（４）の計測値は、「前回送信の計測値」から「基準値未満の計測値の変化幅」以上変化しているため当該計測値を送信する。送信タイミング（５）も同様である。
【００１７】
送信タイミング（６）では、計測値が基準値を超え、かつ「前回送信の計測値」が基準値未満であるため、変化幅の大小に関わらず当該計測値を送信する。
【００１８】
送信タイミング（７）、（８）、（９）の計測値は、「前回送信の計測値」（送信タイミング（６）の計測値）から「基準値以上の計測値の変化幅」より小さい変化のため当該計測値を送信しない。
【００１９】
送信タイミング（１０）の計測値は、「前回送信の計測値」から「基準値以上の計測値の変化幅」以上変化しているため当該計測値を送信する。
【００２０】
「基準値」、「基準値以上の計測値の変化幅」、「基準値未満の計測値の変化幅」を設けて、前回送信の計測値との変化により当該計測値の送信の要否を判定し、送信判定が否の場合、当該計測値の送信を行わないことにより、ネットワークの常時伝送負荷の抑制、遠方監視制御装置（親局）の計測情報の受信による処理抑制、および計測値のきめ細やかな変化の把握が可能となる。
【００２１】
ここで、フローチャートを用いて、この実施の形態１に係る遠方監視制御装置の動作を説明する。
【００２２】
ＣＰＵ１は、計測データの送信タイミング（定周期）で、例えばアナログ入力基板３から入力した各計測値について、メモリ６から読み出した基準値６１以上か判定する（図３のステップ１００〜１０１）。
【００２３】
基準値以上の場合（ステップ１０１のＹＥＳ）、メモリ６から読み出した当該計測項目の前回送信した計測値６３が基準値以上か判定する（ステップ１０２）。
【００２４】
基準値未満の場合（ステップ１０２のＮＯ）は、当該計測値をメモリ６の送信バッファ６２、および前回送信バッファ６３に格納する（ステップ１０４）。
【００２５】
基準値以上の場合（ステップ１０２のＹＥＳ）は、｜前回送信した計測値−今回の計測値｜が「基準値以上の計測値の変化幅」以上変化しているか判定する（ステップ１０３）。なお、「前回送信した計測値」、「基準値以上の計測値の変化幅」は、メモリ６から読み出す。
【００２６】
変化している場合（ステップ１０３のＹＥＳ）は、当該計測値を送信バッファ６２、および前回送信バッファ６３に格納する（ステップ１０４）。送信バッファ６２に格納された計測値は、ＣＰＵ１の制御の下、データ送／受信基板５によって、遠方監視制御装置（親局）に送信される（以降同様である。）。
【００２７】
変化していない場合（ステップ１０３のＮＯ）は、次の計測項目の処理を行う（ステップ１００）。
【００２８】
基準値未満の場合（ステップ１０１のＮＯ）、メモリ６から読み出した当該計測項目の前回送信した計測値が基準値未満か判定する（ステップ１０５）。
【００２９】
基準値以上の場合（ステップ１０５のＮＯ）は、当該計測値を送信バッファ６２、および前回送信バッファ６３に格納する（ステップ１０４）。
【００３０】
基準値未満の場合（ステップ１０５のＹＥＳ）は、｜前回送信した計測値−今回の計測値｜が「基準値未満の計測値の変化幅」以上変化しているか判定する（ステップ１０６）。なお、「前回送信した計測値」、「基準値未満の計測値の変化幅」は、メモリ６から読み出す。
【００３１】
変化している場合（ステップ１０６のＹＥＳ）は、当該計測値を送信バッファ６２、および前回送信バッファ６３に格納する（ステップ１０４）。
【００３２】
変化していない場合（ステップ１０６のＮＯ）は、次の計測項目の処理を行う（ステップ１００）。
【００３３】
実施の形態２．
この発明の実施の形態２に係る遠方監視制御装置について図４及び図５を参照しながら説明する。この発明の実施の形態２に係る遠方監視制御装置の構成は、上記実施の形態１と同様である。
【００３４】
つぎに、この実施の形態２に係る遠方監視制御装置の動作について図面を参照しながら説明する。図４は、この発明の実施の形態２に係る遠方監視制御装置の動作を示すタイミングチャートである。また、図５は、この発明の実施の形態２に係る遠方監視制御装置の動作を示すフローチャートである。
【００３５】
図４において、伝送基準となる「基準値」、基準値から所定範囲の「安定範囲」、「安定範囲内の計測値の変化幅」、及び「安定範囲外の計測値の変化幅」を示し、丸数字で送信タイミングを示している。なお、「安定範囲内の計測値の変化幅」よりも「安定範囲外の計測値の変化幅」が小さい。また、「基準値」、「安定範囲」、「安定範囲内の計測値の変化幅」、及び「安定範囲外の計測値の変化幅」は、それぞれメモリ６の所定の領域に格納されている。
【００３６】
０の送信タイミングで当該計測値を送信した場合、送信タイミング（１）の計測値は、「前回送信の計測値」（０の送信タイミングの計測値）から「安定範囲外の計測値の変化幅」より小さい変化のため当該計測値を送信しない。
【００３７】
送信タイミング（２）の計測値は、「前回送信の計測値」から「安定範囲外の計測値の変化幅」以上変化しているため当該計測値を送信する。送信タイミング（３）の計測値は、「前回送信の計測値」から「安定範囲外の計測値の変化幅」より小さい変化のため当該計測値を送信しない。
【００３８】
送信タイミング（４）では、計測値が安定範囲内、かつ「前回送信の計測値」が安定範囲外であるため、変化幅の大小に関わらず当該計測値を送信する。
【００３９】
送信タイミング（５）の計測値は、「前回送信の計測値」（送信タイミング（４）の計測値）から「安定範囲内の計測値の変化幅」より小さい変化のため当該計測値を送信しない。
【００４０】
送信タイミング（６）の計測値は、「前回送信の計測値」から「安定範囲内の計測値の変化幅」以上変化しているため当該計測値を送信する。
【００４１】
「基準値」、「安定範囲」、「安定範囲内の計測値の変化幅」、「安定範囲外の計測値の変化幅」を設けて、前回送信の計測値との変化により当該計測値の送信の要否を判定し、送信判定が否の場合、当該計測値の送信を行わないことにより、ネットワークの常時伝送負荷の抑制、遠方監視制御装置（親局）の計測情報の受信による処理抑制、および計測値のきめ細やかな変化の把握が可能となる。
【００４２】
ここで、フローチャートを用いて、この実施の形態２に係る遠方監視制御装置の動作を説明する。なお、ＣＰＵ１のメモリ６からのデータの読み出しや、メモリ６へのデータの格納等の基本的動作は、上記実施の形態１と同様であるので、それらの基本的動作の説明を省略する。
【００４３】
ＣＰＵ１は、計測データの送信タイミング（定周期）で、各計測値について安定範囲内の計測値か判定する（図５のステップ２００〜２０１）。
【００４４】
安定範囲内の場合（ステップ２０１のＹＥＳ）、当該計測項目の前回送信した計測値が安定範囲内か判定する（ステップ２０２）。
【００４５】
安定範囲外の計測値の場合（ステップ２０２のＮＯ）は、当該計測値を送信バッファ６２、および前回送信バッファ６３に格納する（ステップ２０４）。
【００４６】
安定範囲内の場合（ステップ２０２のＹＥＳ）は、｜前回送信した計測値−今回の計測値｜が「安定範囲内の計測値の変化幅」以上変化しているか判定する（ステップ２０３）。
【００４７】
変化している場合（ステップ２０３のＹＥＳ）は、当該計測値を送信バッファ６２、および前回送信バッファ６３に格納する（ステップ２０４）。
【００４８】
変化していない場合（ステップ２０３のＮＯ）は、次の計測項目の処理を行う（ステップ２００）。
【００４９】
安定範囲外の場合（ステップ２０１のＮＯ）、当該計測項目の前回送信した計測値が安定範囲外か判定する（ステップ２０５）。
【００５０】
安定範囲内の場合（ステップ２０５のＮＯ）は、当該計測値を送信バッファ６２、および前回送信バッファ６３に格納する（ステップ２０４）。
【００５１】
安定範囲外の場合（ステップ２０５のＹＥＳ）は、｜前回送信した計測値−今回の計測値｜が「安定範囲外の計測値の変化幅」以上変化しているか判定する（ステップ２０６）。
【００５２】
変化している場合（ステップ２０６のＹＥＳ）は、当該計測値を送信バッファ６２、および前回送信バッファ６３に格納する（ステップ２０４）。
【００５３】
変化していない場合（ステップ２０６のＮＯ）は、次の計測項目の処理を行う（ステップ２００）。
【００５４】
実施の形態３．
この発明の実施の形態３に係る遠方監視制御装置について図６から図８までを参照しながら説明する。この発明の実施の形態３に係る遠方監視制御装置の構成は、上記実施の形態１と同様である。
【００５５】
つぎに、この実施の形態３に係る遠方監視制御装置の動作について図面を参照しながら説明する。図６及び図７は、この発明の実施の形態３に係る遠方監視制御装置の動作を示すタイミングチャートである。また、図８は、この発明の実施の形態３に係る遠方監視制御装置の動作を示すフローチャートである。
【００５６】
図６は、選択計測（遠方監視制御装置（親局）から当該遠方監視制御装置（子局）、または当該機器を選択している場合の計測）、図７は、選択計測でない通常の定周期計測を示す。
【００５７】
図６は、「選択計測時の計測値の変化幅」を示し、丸数字で送信タイミングを示している。なお、「選択計測時の計測値の変化幅」は、メモリ６の所定の領域に格納されている。
【００５８】
０の送信タイミングで当該計測値を送信した場合、送信タイミング（１）の計測値は、「前回送信の計測値」（０の送信タイミングの計測値）から「選択計測時の計測値の変化幅」以上変化しているため当該計測値を送信する。送信タイミング（２）の計測値も送信タイミング（１）で送信した計測値から「選択計測時の計測値の変化幅」以上変化しているため当該計測値を送信する。
【００５９】
送信タイミング（３）、（４）、（５）では、送信タイミング（２）で送信した計測値から「選択計測時の計測値の変化幅」より小さい変化のため当該計測値は送信しない。
【００６０】
図７は、「定周期計測時の計測値の変化幅」を示し、丸数字で送信タイミングを示している。なお、「選択計測時の計測値の変化幅」よりも「定周期計測時の計測値の変化幅」が大きい。また、「定周期計測時の計測値の変化幅」は、メモリ６の所定の領域に格納されている。
【００６１】
０の送信タイミングで当該計測値を送信した場合、送信タイミング（１）の計測値は、「前回送信の計測値」（０の送信タイミングの計測値）から「定周期計測時の計測値の変化幅」より小さい変化のため当該計測値を送信しない。
【００６２】
送信タイミング（２）の計測値は、０の送信タイミングで送信した計測値から「定周期計測時の計測値の変化幅」以上変化しているため当該計測値を送信する。
【００６３】
送信タイミング（３）〜（１１）では、送信タイミング（２）で送信した計測値から「定周期計測時の計測値の変化幅」より小さい変化のため当該計測値は送信しない。
【００６４】
「選択計測時の計測値の変化幅」と「定周期計測時の計測値の変化幅」の２種類の変化幅を持つことにより、詳細な計測値の変化を把握することが可能となる。そのため、ネットワークの常時伝送負荷の抑制、遠方監視制御装置（親局）の計測情報の受信による処理抑制、および計測値のきめ細やかな変化の把握が可能となる。
【００６５】
ここで、フローチャートを用いて、この実施の形態３に係る遠方監視制御装置の動作を説明する。なお、ＣＰＵ１のメモリ６からのデータの読み出しや、メモリ６へのデータの格納等の基本的動作は、上記実施の形態１と同様であるので、それらの基本的動作の説明を省略する。
【００６６】
ＣＰＵ１は、計測データの送信タイミングで、各計測値について選択計測中か判定する（図８のステップ３００〜３０１）。
【００６７】
選択計測中の場合（ステップ３０１のＹＥＳ）、当該計測項目が｜前回送信した計測値−今回の計測値｜が「選択計測時の計測値の変化幅」以上変化しているか判定する（ステップ３０２）。
【００６８】
変化している場合（ステップ３０２のＹＥＳ）は、当該計測値を送信バッファ６２、および前回送信バッファ６３に格納する（ステップ３０３）。
【００６９】
変化していない場合（ステップ３０２のＮＯ）は、次の計測項目の処理を行う（ステップ３００）。
【００７０】
選択計測中でない場合（ステップ３０１のＮＯ）、当該計測項目が｜前回送信した計測値−今回の計測値｜が「定周期計測時の計測値の変化幅」以上変化しているか判定する（ステップ３０４）。
【００７１】
変化している場合（ステップ３０４のＹＥＳ）は、当該計測値を送信バッファ６２、および前回送信バッファ６３に格納する（ステップ３０３）。
【００７２】
変化していない場合（ステップ３０４のＮＯ）は、次の計測項目の処理を行う（ステップ３００）。
【００７３】
実施の形態４．
この発明の実施の形態４に係る遠方監視制御装置について図９を参照しながら説明する。この発明の実施の形態４に係る遠方監視制御装置の構成は、上記実施の形態１と同様である。
【００７４】
つぎに、この実施の形態４に係る遠方監視制御装置の動作について図面を参照しながら説明する。図９は、この発明の実施の形態４に係る遠方監視制御装置の動作を示すフローチャートである。
【００７５】
この実施の形態４は、選択計測と定周期計測の複合とするもので、定周期計測は上記実施の形態１の方式とする、上記実施の形態１と上記実施の形態３の複合型とする。
【００７６】
上記実施の形態１に選択計測時の処理を追加することにより機器操作時等に上記実施の形態１より詳細な計測値の変化を把握することが可能となる。そのため、ネットワークの常時伝送負荷の抑制、遠方監視制御装置（親局）の計測情報の受信による処理抑制、および計測値のきめ細やかな変化の把握が可能となる。
【００７７】
ここで、フローチャートを用いて、この実施の形態４に係る遠方監視制御装置の動作を説明する。なお、ＣＰＵ１のメモリ６からのデータの読み出しや、メモリ６へのデータの格納等の基本的動作は、上記実施の形態１と同様であるので、それらの基本的動作の説明を省略する。
【００７８】
ＣＰＵ１は、計測データの送信タイミングで、各計測値について選択計測中か判定する（図９のステップ４００〜４０１）。
【００７９】
選択計測中で無い場合（ステップ４０１のＮＯ）、計測値が基準値以上か判定する（ステップ４０２）。
【００８０】
基準値以上の場合（ステップ４０２のＹＥＳ）、当該計測項目の前回送信した計測値が基準値以上か判定する（ステップ４０３）。
【００８１】
基準値未満の場合（ステップ４０３のＮＯ）は、当該計測値を送信バッファ６２、および前回送信バッファ６３に格納する（ステップ４０５）。
【００８２】
基準値以上の場合（ステップ４０３のＹＥＳ）は、｜前回送信した計測値−今回の計測値｜が「基準値以上の計測値の変化幅」以上変化しているか判定する（ステップ４０４）。
【００８３】
変化している場合（ステップ４０４のＹＥＳ）は、当該計測値を送信バッファ６２、および前回送信バッファ６３に格納する（ステップ４０５）。
【００８４】
変化していない場合（ステップ４０４のＮＯ）は、次の計測項目の処理を行う（ステップ４００）。
【００８５】
基準値未満の場合（ステップ４０２のＮＯ）、当該計測項目の前回送信した計測値が基準値未満か判定する（ステップ４０６）。
【００８６】
基準値以上の場合（ステップ４０６のＮＯ）は、当該計測値を送信バッファ６２、および前回送信バッファ６３に格納する（ステップ４０５）。
【００８７】
基準値未満の場合（ステップ４０６のＹＥＳ）は、｜前回送信した計測値−今回の計測値｜が「基準値未満の計測値の変化幅」以上変化しているか判定する（ステップ４０７）。
【００８８】
変化している場合（ステップ４０７のＹＥＳ）は、当該計測値を送信バッファ６２、および前回送信バッファ６３に格納する（ステップ４０５）。
【００８９】
変化していない場合（ステップ４０７のＮＯ）は、次の計測項目の処理を行う（ステップ４００）。
【００９０】
選択計測中の場合（ステップ４０１のＹＥＳ）、計測値が基準値以上か判定する（ステップ４０８）。
【００９１】
基準値以上の場合（ステップ４０８のＹＥＳ）、当該計測項目の前回送信した計測値が基準値以上か判定する（ステップ４０９）。
【００９２】
基準値未満の場合（ステップ４０９のＮＯ）は、当該計測値を送信バッファ６２、および前回送信バッファ６３に格納する（ステップ４０５）。
【００９３】
基準値以上の場合（ステップ４０９のＹＥＳ）は、｜前回送信した計測値−今回の計測値｜が「選択計測時の計測値の変化幅」以上変化しているか判定する（ステップ４１０）。なお、「選択計測時の計測値の変化幅」は、例えば「基準値以上の計測値の変化幅」や「基準値未満の計測値の変化幅」よりも小さい。
【００９４】
変化している場合（ステップ４１０のＹＥＳ）は、当該計測値を送信バッファ６２、および前回送信バッファ６３に格納する（ステップ４０５）。
【００９５】
変化していない場合（ステップ４１０のＮＯ）は、次の計測項目の処理を行う（ステップ４００）。
【００９６】
基準値未満の場合（ステップ４０８のＮＯ）、当該計測項目の前回送信した計測値が基準値未満か判定する（ステップ４１１）。
【００９７】
基準値以上の場合（ステップ４１１のＮＯ）は、当該計測値を送信バッファ６２、および前回送信バッファ６３に格納する（ステップ４０５）。
【００９８】
基準値未満の場合（ステップ４１１のＹＥＳ）は、｜前回送信した計測値−今回の計測値｜が「選択計測時の計測値の変化幅」以上変化しているか判定する（ステップ４１０）。
【００９９】
変化している場合（ステップ４１０のＹＥＳ）は、当該計測値を送信バッファ６２、および前回送信バッファ６３に格納する（ステップ４０５）。
【０１００】
変化していない場合（ステップ４１０のＮＯ）は、次の計測項目の処理を行う（ステップ４００）。
【０１０１】
実施の形態５．
この発明の実施の形態５に係る遠方監視制御装置について図１０を参照しながら説明する。この発明の実施の形態５に係る遠方監視制御装置の構成は、上記実施の形態１と同様である。
【０１０２】
つぎに、この実施の形態５に係る遠方監視制御装置の動作について図面を参照しながら説明する。図１０は、この発明の実施の形態５に係る遠方監視制御装置の動作を示すフローチャートである。
【０１０３】
この実施の形態５は、選択計測と定周期計測の複合とするもので、定周期計測は上記実施の形態２の方式とする、上記実施の形態２と上記実施の形態３の複合型とする。
【０１０４】
上記実施の形態２に選択計測時の処理を追加することにより機器操作時等に上記実施の形態２より詳細な計測値の変化を把握することが可能となる。そのため、ネットワークの常時伝送負荷の抑制、遠方監視制御装置（親局）の計測情報の受信による処理抑制、および計測値のきめ細やかな変化の把握が可能となる。
【０１０５】
ここで、フローチャートを用いて、この実施の形態５に係る遠方監視制御装置の動作を説明する。なお、ＣＰＵ１のメモリ６からのデータの読み出しや、メモリ６へのデータの格納等の基本的動作は、上記実施の形態１と同様であるので、それらの基本的動作の説明を省略する。
【０１０６】
ＣＰＵ１は、計測データの送信タイミングで、各計測値について選択計測中か判定する（図１０のステップ５００〜５０１）。
【０１０７】
選択計測中で無い場合（ステップ５０１のＮＯ）、計測値が安定範囲内か判定する（ステップ５０２）。
【０１０８】
安定範囲内の場合（ステップ５０２のＹＥＳ）、当該計測項目の前回送信した計測値が安定範囲内か判定する（ステップ５０３）。
【０１０９】
安定範囲外の計測値の場合（ステップ５０３のＮＯ）は、当該計測値を送信バッファ６２、および前回送信バッファ６３に格納する（ステップ５０５）。
【０１１０】
安定範囲内の場合（ステップ５０３のＹＥＳ）は、｜前回送信した計測値−今回の計測値｜が「安定範囲内の計測値の変化幅」以上変化しているか判定する（ステップ５０４）。
【０１１１】
変化している場合（ステップ５０４のＹＥＳ）は、当該計測値を送信バッファ６２、および前回送信バッファ６３に格納する（ステップ５０５）。
【０１１２】
変化していない場合（ステップ５０４のＮＯ）は、次の計測項目の処理を行う（ステップ５００）。
【０１１３】
安定範囲外の場合（ステップ５０２のＮＯ）、当該計測項目の前回送信した計測値が安定範囲外か判定する（ステップ５０６）。
【０１１４】
安定範囲内の場合（ステップ５０６のＮＯ）は、当該計測値を送信バッファ６２、および前回送信バッファ６３に格納する（ステップ５０５）。
【０１１５】
安定範囲外の場合（ステップ５０６のＹＥＳ）は、｜前回送信した計測値−今回の計測値｜が「安定範囲外の計測値の変化幅」以上変化しているか判定する（ステップ５０７）。
【０１１６】
変化している場合（ステップ５０７のＹＥＳ）は、当該計測値を送信バッファ６２、および前回送信バッファ６３に格納する（ステップ５０５）。
【０１１７】
変化していない場合（ステップ５０７のＮＯ）は、次の計測項目の処理を行う（ステップ５００）。
【０１１８】
選択計測中の場合（ステップ５０１のＹＥＳ）、計測値が安定範囲内か判定する（ステップ５０８）。
【０１１９】
安定範囲内の場合（ステップ５０８のＹＥＳ）、当該計測項目の前回送信した計測値が安定範囲内か判定する（ステップ５０９）。
【０１２０】
安定範囲外の場合（ステップ５０９のＮＯ）は、当該計測値を送信バッファ６２、および前回送信バッファ６３に格納する（ステップ５０５）。
【０１２１】
安定範囲内の場合（ステップ５０９のＹＥＳ）は、｜前回送信した計測値−今回の計測値｜が「選択計測時の計測値の変化幅」以上変化しているか判定する（ステップ５１０）。なお、「選択計測時の計測値の変化幅」は、例えば「安定範囲内の計測値の変化幅」や「安定範囲外の計測値の変化幅」よりも小さい。
【０１２２】
変化している場合（ステップ５１０のＹＥＳ）は、当該計測値を送信バッファ６２、および前回送信バッファ６３に格納する（ステップ５０５）。
【０１２３】
変化していない場合（ステップ５１０のＮＯ）は、次の計測項目の処理を行う（ステップ５００）。
【０１２４】
安定範囲外の場合（ステップ５０８のＮＯ）、当該計測項目の前回送信した計測値が安定範囲外か判定する（ステップ５１１）。
【０１２５】
安定範囲内の場合（ステップ５１１のＮＯ）は、当該計測値を送信バッファ６２、および前回送信バッファ６３に格納する（ステップ５０５）。
【０１２６】
安定範囲外の場合（ステップ５１１のＹＥＳ）は、｜前回送信した計測値−今回の計測値｜が「選択計測時の計測値の変化幅」以上変化しているか判定する（ステップ５１０）。
【０１２７】
変化している場合（ステップ５１０のＹＥＳ）は、当該計測値を送信バッファ６２、および前回送信バッファ６３に格納する（ステップ５０５）。
【０１２８】
変化していない場合（ステップ５１０のＮＯ）は、次の計測項目の処理を行う（ステップ５００）。
【図面の簡単な説明】
【０１２９】
【図１】この発明の実施の形態１に係る遠方監視制御装置の構成を示す図である。
【図２】この発明の実施の形態１に係る遠方監視制御装置の動作を示すタイミングチャートである。
【図３】この発明の実施の形態１に係る遠方監視制御装置の動作を示すフローチャートである。
【図４】この発明の実施の形態２に係る遠方監視制御装置の動作を示すタイミングチャートである。
【図５】この発明の実施の形態２に係る遠方監視制御装置の動作を示すフローチャートである。
【図６】この発明の実施の形態３に係る遠方監視制御装置の動作を示すタイミングチャートである。
【図７】この発明の実施の形態３に係る遠方監視制御装置の動作を示すタイミングチャートである。
【図８】この発明の実施の形態３に係る遠方監視制御装置の動作を示すフローチャートである。
【図９】この発明の実施の形態４に係る遠方監視制御装置の動作を示すフローチャートである。
【図１０】この発明の実施の形態５に係る遠方監視制御装置の動作を示すフローチャートである。
【符号の説明】
【０１３０】
１  ＣＰＵ、２  内部バス、３  アナログ入力基板、４  各種入出力基板、５  データ送／受信基板、６  メモリ、６１  基準値データ、６２  送信の計測値（送信バッファ）、６３  前回送信の計測値（前回送信バッファ）、６４  基準値以上の計測値の変化幅データ、６５  基準値未満の計測値の変化幅データ。
【図１】
2006135538.tif 000003
【図２】
2006135538.tif 000004
【図３】
2006135538.tif 000005
【図４】
2006135538.tif 000006
【図５】
2006135538.tif 000007
【図６】
2006135538.tif 000008
【図７】
2006135538.tif 000009
【図８】
2006135538.tif 000010
【図９】
2006135538.tif 000011
【図１０】
2006135538.tif 000012